(57)【特許請求の範囲】
【請求項１】
上部と下部とが開閉して開状態と閉状態とに状態を変化可能な携帯通信装置であって、
複数の画像を記憶する画像記憶手段と、
前記記憶された複数の画像のうちから対象画像を選択する選択手段と、
閉状態を検出する閉状態検出手段と、
画像の表示を制御し、待機時に前記選択手段により選択された前記対象画像を含む待受画面の画像を表示する表示制御手段と、を備え、
前記表示制御手段は、前記待受画面の画像を表示している状態で、前記閉状態検出手段が閉状態を検出する状態から閉状態を検出しない状態へ変化することに応じて、前記選択手段により前記待受画面に含まれる前記対象画像の次に選択された新たな対象画像を含む新たな待受画面を表示し、前記待受画面の画像を表示している状態で、前記閉状態検出手段が閉状態を検出しない状態から閉状態を検出する状態へ変化する場合、その時点で表示されている前記待受画面の表示を継続する、携帯通信装置。
【請求項２】
前記表示制御手段は、画像を表示する通常モードから画像の表示を中断する省電力モードに表示モードを切り換えるモード切換手段を含み、
前記省電力モードに表示モードを切り換えているときに、前記閉状態検出手段が閉状態を検出している状態から閉状態を検出しない状態へ変化する場合、前記省電力モードに切り換える直前に表示していた画像が前記待受画面の画像であることを条件に、前記選択手段により前記待受画面に含まれる前記対象画像の次に選択された新たな対象画像を含む新たな待受画面の画像を表示する、請求項１に記載の携帯通信装置。
【請求項３】
前記表示制御手段は、前記表示モードを通常モードに切り換えているときは、前記待受画面の画像が表示されている状態で、前記閉状態検出手段が閉状態を検出する状態から閉状態を検出しない状態へ変化する場合のみ、前記表示モードを省電力モードに切り換えているときは、前記閉状態検出手段が閉状態を検出している状態から閉状態を検出しない状態へ変化する場合であって、前記表示制御手段が前記省電力モードに切り換えられる直前に表示されていた画像が前記待受画面の画像である場合のみ、前記新たな待受画面の画像を表示する、請求項２に記載の携帯通信装置。
【請求項４】
前記表示制御手段は、前記省電力モードに表示モードを切り換えているときに、前記閉状態検出手段が閉状態を検出している状態から閉状態を検出しない状態へ変化する場合、前記省電力モードに切り換えられる直前に表示されていた画像が前記待受画面の画像でない場合、前記閉状態検出手段が閉状態を検出する状態から閉状態を検出しない状態への変化に応じて、表示モードを通常モードに切り換えて前記省電力モードに切り換えられる前に表示していた画像を表示する、請求項２に記載の携帯通信装置。
【請求項５】
外部の装置と通信する通信手段と、
ユーザによる操作を受け付ける操作受付手段と、
前記通信手段を介して前記外部の装置から受信される指令に基づいて、前記操作受付手段に入力される所定の操作を無効とする操作ロック手段と、をさらに備え、
前記表示制御手段は、前記操作ロック手段により前記所定の操作が無効とされる場合は、前記新たな待受画面の画像に代えて前記操作ロック手段により前記所定の操作が無効とされる前に表示していた前記待受画面の画像を表示する、請求項１〜４のいずれかに記載の携帯通信装置。
【請求項６】
上部と下部とが開閉して開状態と閉状態とに状態を変化可能な携帯通信装置で実行される表示制御方法であって、
前記携帯通信装置は、複数の画像を記憶する画像記憶手段を備えており、
前記記憶された複数の画像のうちから対象画像を選択するステップと、
前記閉状態を検出するステップと、
前記閉状態を検出するステップにおいて閉状態が検出されており、かつ、前記選択するステップにおいて選択された前記対象画像を含む待受画面の画像を表示している状態で、前記閉状態を検出するステップにおいて閉状態が検出されない状態へ変化することに応じて、前記選択するステップにおいて前記待受画面に含まれる前記対象画像の次に選択された新たな対象画像を含む新たな待受画面を表示するステップと、
前記閉状態を検出するステップにおいて閉状態が検出されておらず、かつ、前記選択するステップにおいて選択された前記対象画像を含む待受画面の画像を表示している状態で、前記閉状態を検出するステップにおいて閉状態を検出する状態へ変化する場合であってもその時点で表示されている前記待受画面の表示を継続するステップと、を含む表示制御方法。
【請求項７】
上部と下部とが開閉して開状態と閉状態とに状態を変化可能な携帯通信装置を制御するコンピュータで実行される表示制御プログラムであって、
前記携帯通信装置は、複数の画像を記憶する画像記憶手段を備えており、
前記記憶された複数の画像のうちから対象画像を選択するステップと、
前記閉状態を検出するステップと、
前記閉状態を検出するステップにおいて閉状態が検出されており、かつ、前記選択するステップにおいて選択された前記対象画像を含む待受画面の画像を表示を表示している状態で、前記閉状態を検出するステップにおいて閉状態が検出されない状態へ変化することに応じて、前記選択するステップにおいて前記待受画面に含まれる前記対象画像の次に選択された新たな対象画像を含む新たな待受画面を表示するステップと、
前記閉状態を検出するステップにおいて閉状態が検出されておらず、かつ、前記選択するステップにおいて選択された前記対象画像を含む待受画面の画像を表示している状態で、前記閉状態を検出するステップにおいて閉状態を検出する状態へ変化する場合であってもその時点で表示されている前記待受画面の表示を継続するステップと、を前記コンピュータに実行させる表示制御プログラム。
【発明の詳細な説明】
【技術分野】
【０００１】
この発明は、携帯通信装置、表示制御方法および表示制御プログラムに関し、特に開状態と閉状態とに状態を変化可能な携帯通信装置、その携帯通信装置で実行される表示制御方法および表示制御プログラムに関する。
【背景技術】
【０００２】
携帯電話機で代表される携帯通信装置は、使用されていない待機時に、待機状態であることをユーザに通知するために液晶表示装置（ＬＣＤ）に待受画面を表示する。この待受画面は、背景にユーザの好みの画像を設定することができ、ユーザ独自の画面とすることができるものがある。待受画面の背景に設定可能な画像は、携帯電話機に設けられたフラッシュメモリ等の記憶装置に記憶された画像のうちからユーザが選択できる。しかしながら、待受画面に設定された画像を変更する場合は、予め定められた操作をしなければならず、操作が煩雑である。特に、その操作を知らないユーザは、待受画面に好みの画像を設定することも、変更することもできない。
【０００３】
一方、携帯電話機が折り畳み状態からオープン状態に変化した場合、またはオープン状態から折り畳み状態に変化した場合に、画像を切り換える技術が特開２００４−７４８８号公報（特許文献１）に記載されている。また、特開２００６−３１９５６１号公報（特許文献２）には、折り畳み機構が使用された回数が予め定められた回数になる場合、または予め定められた時間が経過する場合に、画像を切り換える携帯端末が記載されている。
【０００４】
しかしながら、従来の携帯端末は折り畳み機構で開閉可能なので、閉状態においては待受画面を表示することができない。このため、閉状態において待受画面を表示可能な携帯電話機には適用することができないといった問題がある。例えば、操作の途中で形状を変化させる場合があり、この場合には、操作の途中で画像が切り換わってしまうといった問題がある。
【特許文献１】特開２００４−７４８８号公報
【特許文献２】特開２００６−３１９５６１号公報
【発明の概要】
【発明が解決しようとする課題】
【０００５】
この発明は上述した問題点を解決するためになされたもので、この発明の目的の１つは、待受画面に含まれる画像を簡単な操作で変更させることが可能な携帯通信装置を提供することである。
【０００６】
この発明の他の目的は、待受画面に含まれる画像を簡単な操作で変更させることが可能な表示制御方法を提供することである。
【０００７】
この発明のさらに他の目的は、待受画面に含まれる画像を簡単な操作で変更させることが可能な表示制御プログラムを提供することである。
【課題を解決するための手段】
【０００８】
上述した目的を達成するためにこの発明のある局面によれば、携帯通信装置は、上部と下部とが開閉して開状態と閉状態とに状態を変化可能な携帯通信装置であって、複数の画像を記憶する画像記憶手段と、記憶された複数の画像のうちから対象画像を選択する選択手段と、閉状態を検出する閉状態検出手段と、画像の表示を制御し、待機時に選択手段により選択された対象画像を含む待受画面の画像を表示する表示制御手段と、を備え、表示制御手段は、待受画面の画像を表示している状態で、閉状態検出手段が閉状態を検出する状態から閉状態を検出しない状態へ変化することに応じて、選択手段により待受画面に含まれる対象画像の次に選択された新たな対象画像を含む新たな待受画面を表示し、待受画面の画像を表示している状態で、閉状態検出手段が閉状態を検出しない状態から閉状態を検出する状態へ変化する場合、その時点で表示されている待受画面の表示を継続する。
【０００９】
この局面に従えば、待受画面の画像を表示している状態で、閉状態を検出する状態から閉状態を検出しない状態へ変化することに応じて、待受画面に含まれる対象画像の次に選択された新たな対象画像を含む新たな待受画面が表示される。このため、待受画面に含まれる画像を簡単な操作で変更させることが可能な携帯通信装置を提供することができる。
【００１０】
好ましくは、表示制御手段は、画像を表示する通常モードから画像の表示を中断する省電力モードに表示モードを切り換えるモード切換手段を含み、省電力モードに表示モードを切り換えているときに、閉状態検出手段が閉状態を検出している状態から閉状態を検出しない状態へ変化する場合、省電力モードに切り換える直前に表示していた画像が待受画面の画像であることを条件に、選択手段により待受画面に含まれる対象画像の次に選択された新たな対象画像を含む新たな待受画面の画像を表示する。
【００１１】
この局面に従えば、省電力モードに表示モードを切り換えているときは、待受画面が表示されていないが、省電力モードに切り換える直前に表示していた画像が、待受画面の画像ならば、待受画面に含まれる対象画像の次に選択された新たな対象画像を含む新たな待受画面の画像が表示される。
【００１２】
好ましくは、表示制御手段は、表示モードを通常モードに切り換えているときは、待受画面の画像が表示されている状態で、閉状態検出手段が閉状態を検出する状態から閉状態を検出しない状態へ変化する場合のみ、表示モードを省電力モードに切り換えているときは、閉状態検出手段が閉状態を検出している状態から閉状態を検出しない状態へ変化する場合であって、表示制御手段が省電力モードに切り換えられる直前に表示されていた画像が待受画面の画像である場合のみ、新たな待受画面の画像を表示する。
【００１３】
この局面に従えば、通常モードで待受画面の画像が表示されている場合、省電力モードで省電力モードに切り換えられる直前に表示されていた画像が待受画面の画像である場合のみ、新たな待受画面の画像が表示される。このため、待受画面とは別の画像が表示されている場合、または待受画面が表示されていない状態で画面が表示されなくなった場合は、閉状態から閉状態でない状態に変化しても、新たな待受画面は表示されない。このため、ユーザは、待受画面の画像が変化したことを知ることができる。
【００１４】
好ましくは、表示制御手段は、省電力モードに表示モードを切り換えているときに、閉状態検出手段が閉状態を検出している状態から閉状態を検出しない状態へ変化する場合、省電力モードに切り換えられる直前に表示されていた画像が待受画面の画像でない場合、閉状態検出手段が閉状態を検出する状態から閉状態を検出しない状態への変化に応じて、表示モードを通常モードに切り換えて省電力モードに切り換えられる前に表示していた画像を表示する。
【００１５】
好ましくは、外部の装置と通信する通信手段と、ユーザによる操作を受け付ける操作受付手段と、通信手段を介して外部の装置から受信される指令に基づいて、操作受付手段に入力される所定の操作を無効とする操作ロック手段と、をさらに備え、表示制御手段は、操作ロック手段により所定の操作が無効とされる場合は、新たな待受画面の画像に代えて操作ロック手段により所定の操作が無効とされる前に表示していた待受画面の画像を表示する。
【００１６】
この局面に従えば、所定の操作が無効とされる場合は、新たな待受画面の画像に代えて所定の操作が無効とされる前に表示していた待受画面の画像が表示される。このため、記憶された複数の画像が他人に見られるのを防止することができる。
【００１７】
この発明の他の局面によれば、表示制御方法は、上部と下部とが開閉して開状態と閉状態とに状態を変化可能な携帯通信装置で実行される表示制御方法であって、携帯通信装置は、複数の画像を記憶する画像記憶手段を備えており、記憶された複数の画像のうちから対象画像を選択するステップと、閉状態を検出するステップと、閉状態を検出するステップにおいて閉状態が検出されており、かつ、選択するステップにおいて選択された対象画像を含む待受画面の画像を表示している状態で、閉状態を検出するステップにおいて閉状態が検出されない状態へ変化することに応じて、選択するステップにおいて待受画面に含まれる対象画像の次に選択された新たな対象画像を含む新たな待受画面を表示するステップと、閉状態を検出するステップにおいて閉状態が検出されておらず、かつ、選択するステップにおいて選択された対象画像を含む待受画面の画像を表示している状態で、閉状態を検出するステップにおいて閉状態を検出する状態へ変化する場合であってもその時点で表示されている待受画面の表示を継続するステップと、を含む。
【００１８】
この局面に従えば、待受画面に含まれる画像を簡単な操作で変更させることが可能な表示制御方法を提供することができる。
【００１９】
この発明の他の局面によれば、表示制御プログラムは、上部と下部とが開閉して開状態と閉状態とに状態を変化可能な携帯通信装置を制御するコンピュータで実行される表示制御プログラムであって、携帯通信装置は、複数の画像を記憶する画像記憶手段を備えており、記憶された複数の画像のうちから対象画像を選択するステップと、閉状態を検出するステップと、閉状態を検出するステップにおいて閉状態が検出されており、かつ、選択するステップにおいて選択された対象画像を含む待受画面の画像を表示を表示している状態で、閉状態を検出するステップにおいて閉状態が検出されない状態へ変化することに応じて、選択するステップにおいて待受画面に含まれる対象画像の次に選択された新たな対象画像を含む新たな待受画面を表示するステップと、閉状態を検出するステップにおいて閉状態が検出されておらず、かつ、選択するステップにおいて選択された対象画像を含む待受画面の画像を表示している状態で、閉状態を検出するステップにおいて閉状態を検出する状態へ変化する場合であってもその時点で表示されている待受画面の表示を継続するステップと、をコンピュータに実行させる。
【００２０】
この局面に従えば、待受画面に含まれる画像を簡単な操作で変更させることが可能な表示制御プログラムを提供することができる。
【発明を実施するための形態】
【００２１】
以下、本発明の実施の形態について図面を参照して説明する。以下の説明では同一の部品には同一の符号を付してある。それらの名称および機能も同じである。したがってそれらについての詳細な説明は繰返さない。
【００２２】
以下の説明では、携帯通信装置の一例として携帯電話機１について説明する。図１および図２は、本発明の実施の形態の１つにおける携帯電話機の外観を示す斜視図である。なお、図中の点線は説明のために付したもので、実際には存在しない。携帯電話機１は、開状態と閉状態とに形状を変化可能である。図１は、開状態における携帯電話機の概観を示し、図２は、閉状態における携帯電話機の概観を示す。図１および図２を参照して、携帯電話機１は、上部２と、下部３と、を含む。上部２は、その裏面が下部３の表面と向かい合うように、長手方向にスライド可能に下部３と結合される。図１においては、上部２を下部３に対してスライドさせて、携帯電話機１が開いた状態を示している。携帯電話機１が閉状態においては、上部２の裏面は、下部３の表面と重なる。
【００２３】
上部２の表面は、液晶表示装置（ＬＣＤ）１５と、操作キー群１４と、電源キー１７と、レシーバとしてのスピーカ１１と、が配置される。電源キー１７は、携帯電話機１の主電源のＯＮとＯＦＦとを切り換える操作を入力するためのボタンスイッチである。誤操作を防止するために、電源キー１７の表面、換言すれば、ユーザの指により押下される部分が、上部２の表面よりも少し低くなるように設置される。操作キー群１４は、ジョイスティック１４Ａと、メニューキー１４Ｂ〜１４Ｅとを含む。ジョイスティック１４Ａは、上下左右および押下の５つの操作を受け付けるための５つのスイッチをＯＮとＯＦＦとに切り換える。また、操作を容易にするために、上部２の表面がジョイスティック１４Ａの周辺で窪んでおり、ジョイスティック１４Ａの突起部分は、上部２の表面よりも高くなるように設置されている。メニューキー１４Ｂ〜１４Ｅは、予め定められた操作が割り当てられたスイッチをＯＮとＯＦＦとに切り換える。
【００２４】
なお、ここでは携帯電話機１がＬＣＤ５を備える例を示すが、ＬＣＤ５に代えて、有機ＥＬ（Ｅｌｅｃｔｒｏ  Ｌｕｍｉｎｅｓｃｅｎｃｅ）ディスプレイ等を用いてもよい。また、ジョイスティック１４Ａに代えて、上下左右の４方向それぞれを指示するための操作を受け付けるための４つのスイッチを有する十字キーと、押下の操作を受け付けるためのスイッチを有する決定ボタンとの組み合わせを用いるようにしてもよい。
【００２５】
携帯電話機１が開いた状態において、下部３の表面の一部が露出する。下部３は、表面の露出する部分にテンキーを含む英数キー群１５と、マイクロフォン１３とが配置される。また、下部３の側面には、サイドキー１９が配置される。
【００２６】
携帯電話機１が閉状態においては、英数キー群１５は、上部２に覆い隠される。このため、ユーザは英数キー群１５を操作することはできない。一方、操作キー群１４と、電源キー１７と、サイドキー１９とは、携帯電話機１が閉状態において外部に露出する。このため、ユーザは、携帯電話機１が閉状態において操作キー群１４と、電源キー１７と、サイドキー１９とを操作することができる。
【００２７】
図３は、本実施の形態における携帯電話機のハードウェア構成の一例を示すブロック図である。図３を参照して、携帯電話機１は、携帯電話機１の全体を制御するための主制御部２１と、アンテナ２２Ａと接続された無線回路２２と、音声データを符号化または復号するためのコーデック部２３と、音声データを処理するための音声制御部２８と、カメラ２４と、操作部２５と、着信を報知するための振動部２６と、主制御部２１で実行するプログラム等を記憶するためのフラッシュメモリ３１と、主制御部２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、閉センサ２９と、を含む。
【００２８】
無線回路２２は、主制御部２１により制御され、通信網に接続された無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００２９】
音声制御部２８は、マイクロフォン１３と接続され、マイクロフォン１３が集音して出力するアナログの音声信号が入力される。音声制御部２８は、マイクロフォン１３から入力される音声信号をコーデック部２３に出力する。また、音声制御部２８は、コーデック部２３から音声信号が入力され、コーデック部２３から入力された音声信号をスピーカ１１に出力する。
【００３０】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、主制御部２１に出力する。また、無線回路２２は、主制御部２１から入力される電子メールを電子メールサーバに送信する。主制御部２１は、電子メールサーバとの間で送受信した電子メールをフラッシュメモリ３１に記憶する。
【００３１】
操作部２５は、ジョイスティック１４Ａ、メニューキー１４Ｂ〜１４Ｅ、英数キー群１５、電源キー１７およびサイドキー１９それぞれがＯＮとＯＦＦに切り換えるスイッチと接続され、それぞれのスイッチのＯＮとＯＦＦとを検出する。ジョイスティック１４Ａ、メニューキー１４Ｂ〜１４Ｅ、英数キー群１５、電源キー１７およびサイドキー１９がユーザにより操作されると、対応するスイッチがＯＦＦからＯＮに切り換わる。
【００３２】
閉センサ２９は、上部２のメニューキー１４Ｅの裏側に設けられるスイッチと、下部３のマイクロフォン１３の横に配置される磁石とを含む。磁石は、携帯電話機１が閉状態においてスイッチからの距離が最も近くなる位置に配置される。スイッチは、磁石が所定の距離以内まで近づくとＯＮとなり、磁石が所定の距離より離れるとＯＦＦとなる。このため、閉センサ２９は、携帯電話機１が閉状態となるとＯＮとなり、閉状態でなくなるとＯＦＦとなる。したがって、閉センサ２９は、携帯電話機１の閉状態を検出する。なお、ここでは、閉センサ２９として、磁石の接近によりＯＮとＯＦＦとを切り換えるスイッチを用いたが、ボタンスイッチ等の接触型のスイッチを用いるようにしてもよいし、フォトインタラプタ等の非接触型のスイッチを用いるようにしてもよい。
【００３３】
カードＩ／Ｆ２７には、着脱可能なメモリカード２７Ａが装着される。メモリカード２７Ａは、フラッシュメモリ等の不揮発性メモリを有し、プログラムを記憶可能である。主制御部２１は、カードＩ／Ｆ２７を介して、メモリカード２７Ａにアクセスが可能である。なお、ここでは主制御部２１で実行するためのプログラムをフラッシュメモリ３１に記憶しておく例を説明するが、プログラムをメモリカード２７Ａに記憶しておき、メモリカード２７Ａからプログラムを読み出して、主制御部２１で実行するようにしてもよい。プログラムを記憶する記録媒体としては、メモリカード２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ、ＥＥＰＲＯＭなどの半導体メモリ等でもよい。また、主制御部２１が、無線回路２２を介して、インターネットに接続されたコンピュータからプログラムをダウンロードし、そのプログラムを実行するようにしてもよい。ここでいうプログラムは、主制御部２１により直接実行可能なプログラムだけでなく、ソースプログラム、圧縮処理されたプログラム、暗号化されたプログラム等を含む。
【００３４】
カメラ２４は、下部３の裏面に設けられ、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを主制御部２１に出力する。カメラ２４は、主制御部２１により制御され、主制御部２１からの指示により撮像を開始して、得られる静止画データまたは動画データを主制御部２１に出力する。主制御部２１は、カメラ２４が出力する静止画データまたは動画データをＬＣＤ５に表示する、または、圧縮符号化方式で静止画データまたは動画データを符号化して、フラッシュメモリ３１またはカードＩ／Ｆ２７に装着されたメモリカード２７Ａに記憶する。
【００３５】
フラッシュメモリ３１は、主制御部２１が実行するプログラムおよび画像を記憶する。フラッシュメモリ３１が記憶する画像は、カメラ２４により撮像して得られる画像、無線回路２２から受信される電子メールとともに受信される画像、カードＩ／Ｆ２７に装着されるメモリカード２７Ａに記憶された画像を、含む。また、携帯電話機１が、他の携帯電話機またはコンピュータ等の電子機器と、有線または無線で通信する機能を有する場合には、電子機器から受信する画像を含む。
【００３６】
図４は、主制御部２１が備える機能の一例を示すブロック図である。図４に示す機能は、主制御部２１が、フラッシュメモリ３１に記憶されたプログラムを実行することにより、主制御部２１に形成される。図４を参照して、主制御部２１は、携帯電話機１の形状が閉状態か否かを検出する閉状態検出部５１と、ＬＣＤ５の表示を制御する表示制御部５３と、複数の画像のうちから１つを選択する選択部５９と、ユーザの操作を受け付ける操作受付部６１と、予め定められた所定の操作を無効とする操作ロック部６３と、操作に従って処理を実行する処理実行部６５と、禁止部６７と、を含む。
【００３７】
閉状態検出部５１は、閉センサ２９と接続され、閉センサ２９の出力に基づいて、携帯電話機１の形状が閉状態か否かを検出する。閉状態検出部５１は、閉センサ２９の出力がＯＮの間、閉状態を検出し、閉センサ２９の出力がＯＦＦの間、閉状態でないことを検出する。閉状態検出部５１は、開状態から閉状態への変化を検出すると、換言すれば、閉センサ２９からの出力がＯＦＦからＯＮに切り換わると、閉状態移行信号を表示制御部５３に出力する。また、閉状態検出部５１は、閉状態から閉状態でない状態への変化を検出すると、換言すれば、閉センサ２９からの出力がＯＮからＯＦＦに切り換わると、開状態移行信号を表示制御部５３に出力する。
【００３８】
表示制御部５３は、ＬＣＤ５を制御し、ＬＣＤ５に画像を表示する。表示制御部５３は、画面生成部５５と、モード切換部５７とを含む。
【００３９】
画面生成部５５は、携帯電話機１が待機状態となったときに最初に表示する待受画面を生成する。待機状態は、例えば、無線回路２２が送信される通話のための着信または電子メールが基地局から受信するのを待つ状態である。待受画面は、背景画像を含む。待受画面は、ユーザによる設定により、種々の情報のうちからユーザにより選択された情報を含む。種々の情報は、例えば、時計、カレンダー、ニューステロップ、携帯電話機の設定状態を示すための、または所定の機能を呼び出すための画像（ピクト）等である。
【００４０】
モード切換部５７は、表示モードとシャッフルモードとを切り換える。表示モードは、画像を表示する通常モードと、画像の表示を中断する省電力モードとを含み、モード切換部５７は、通常モードと省電力モードとのいずれかに表示モードを切り換える。省電力モードは、通常モードよりも消費電力が小さい。モード切換部５７は、携帯電話機１がスリープモードの時に表示モードを省電力モードに切り換え、スリープモードでないときに表示モードを通常モードに切り換える。携帯電話機１は、例えば、待機状態であって、ユーザによる操作が所定時間受け付けられないときにスリープモードになり、ユーザによる操作を受け付けるとスリープモードから復帰する。ユーザによる操作は、携帯電話機１を開状態にする操作を含む。
【００４１】
シャッフルモードは、待受画面に含まれる背景画像の変更を有効にするか否かを設定する。シャッフルモードがＯＮに設定されると背景画像の変更が有効に設定され、シャッフルモードがＯＦＦに設定されると背景画像の変更が無効に設定される。モード切換部５７は、シャッフルモードをＯＮとＯＦＦとのいずれかに切り換える。モード切換部５７は、ＬＣＤ５にシャッフルモードを設定するための設定画面を表示し、ユーザが操作部２５を用いて入力する操作に従って、シャッフルモードをＯＮとＯＦＦとのいずれかに設定する。また、モード切換部５７は、シャッフルモードをＯＮに設定しているときに、後述する禁止部６７からシャッフル無効指示が入力される場合、または、後述する操作ロック部６３から遠隔ロック信号が入力される場合、シャッフルモードをＯＦＦに切り換える。モード切換部５７は、シャッフルモードを画面生成部５５に出力する。
【００４２】
選択部５９は、フラッシュメモリ３１またはメモリカード２７Ａに記憶された複数の画像のうちから待受画面に含まれる背景画像として使用する画像を選択する。選択部５９は、選択した画像をＲＡＭ３２の所定の領域に記憶する。ここでは、後述する画面生成部５５が待受画面を生成する速度を早くするために、選択部５９は、複数の画像を選択した順にＲＡＭ３２に記憶する。また、選択部５９は、例えば、乱数等を用いて画像を選択し、連続して同じ画像を選択しないようにしてもよい。
【００４３】
画面生成部５５は、表示制御部５３が表示するための待受画面を生成し、生成された待受画面をＬＣＤ１９に表示する。上述したように、待受画面は、背景画像と、種々の情報のうちからユーザにより選択された情報の画像とを合成した画面である。画面生成部５５は、背景画像、ユーザにより選択された情報の画像を、それぞれＲＡＭ３２に記憶しておき、それらを合成することによって待受画面の画像を生成する。
【００４４】
画面生成部５５は、モード切換部５７から入力されるシャッフルモードがＯＦＦの場合、予め定められた背景画像を含む待受画面を生成する。画面生成部５５は、モード切換部５７から入力されるシャッフルモードがＯＮの場合、所定の条件の成立により、待受画面に含まれる背景画像を、選択部５９により選択された次の順番の画像に切り換える。所定の条件は、ここでは、第１の条件と、第２の条件とを含む。第１の条件は、モード切換部５７により表示モードが通常モードに切り換えられていること、ＬＣＤ１９に待受画面の画像が表示されていること、および閉状態検出部５１から開状態移行信号が入力されることの３つの条件の全てが成立する条件である。第２の条件は、モード切換部５７により表示モードが省電力モードに切り換えられていること、ＬＣＤ１９に最後に表示した画像が待受画面であること、および閉状態検出部５１から開状態移行信号が入力されることの３つの条件の全てが成立する条件である。
【００４５】
第１の条件および第２の条件は、閉状態検出部５１から開状態移行信号が入力される条件を、共通の条件として含む。このため、携帯電話機１が閉状態において、ＬＣＤ１９に待受画面が表示されている状態、または、その後表示モードが省電力モードに変更されて待受画面が表示されなくなった後に、携帯電話機１が閉状態でなくなくなると、それまで表示していた待受画面と、背景画像が異なる待受画面が表示される。換言すれば、ユーザが、携帯電話機１の形状を変化させる開閉操作をすれば、待受画面に含まれる背景画像が切り換わる。
【００４６】
操作受付部６１は、ユーザが操作部２５が備えるジョイスティック１４Ａ、メニューキー１４Ｂ〜１４Ｅ、英数キー群１５、サイドキー１９および電源キー１７を押下すると、受け付けられたキーに与えられたキー番号を操作ロック部６３および処理実行部６５に出力する。
【００４７】
処理実行部６５は、操作受付部６１から入力されるキー番号に対して予め割り当てられた処理を、操作ロック部６３からロック指示が入力されないことを条件に実行する。処理実行部６５が実行する処理は、従来の携帯電話機が実行可能な処理であり、ここでは詳細は説明しないが、例えば、通話処理、電話帳の編集処理、電子メール編集および送受信処理等である。
【００４８】
操作ロック部６３は、ロックが設定されると、その後、操作部２５に入力される所定の操作を無効とすることにより、携帯電話機１を使用不可能にする。ここでは、操作ロック部６３にロックを設定する方法は、携帯電話機を閉じる操作でロックする方法（以下「とじるとロック」という）、所定時間操作が入力されないとロックする方法（以下「オートロック」という）、予め定められた電話番号からの着信に基づいてロックする方法（以下「遠隔ロック」という）と、を含む。操作ロック部６３は、ロックが設定される場合、処理実行部６５に、ロック指示を出力する。また、操作ロック部６３は、遠隔ロックによってロックが設定された場合、遠隔ロックが有効に設定されていることを示す遠隔ロック信号を表示制御部５３に出力する。
【００４９】
禁止部６７は、モード切換部５７によって、シャッフルモードがＯＮに切り換えられている場合であって、画面生成部５５によって待受画面がＬＣＤ１９に表示されている状態において、ユーザが待受画面に含まれる背景画像を、固定の背景画像に設定する操作を操作部２５に入力すれば、操作受付部６１からその操作が入力され、背景画像を固定するとともに、モード切換部５７にシャッフル無効指示を出力する。例えば、メニューキー１４Ｂが押下されることにより、「待受画面の画像を固定しますか？」のメッセージと、「ＯＫ」の文字が表されたボタンと、「ＮＯ」の文字が表されたボタンと、を表示し、ジョイスティック１４Ａまたは他のキー操作によって「ＯＫ」の文字が表されたボタンが指示されると、待受画面に含まれる背景画像を固定の背景画像に設定する操作を受け付ける。禁止部６７は、待受画面に含まれる背景画像を固定の背景画像に設定する操作が受け付けられた時点に、ＬＣＤ１９に表示されている待受画面に含まれる背景画像を、待受画面に対して予め定められた背景画像に設定するとともに、モード切換部５７にシャッフル無効指示を出力する。
【００５０】
図５および図６は、表示制御処理の流れの一例を示すフローチャートである。表示制御処理は、主制御部２１が、フラッシュメモリ３１に記憶された表示制御プログラムを実行することにより、主制御部２１により実行される処理である。図５を参照して、主制御部２１は、ＬＣＤ１９に待受画面を表示する（ステップＳ０１）。ステップＳ０２においては、携帯電話機１の形状が閉状態か否かを判断する。携帯電話機１の形状が閉状態ならば処理をステップＳ０３に進め、そうでなければ処理をステップＳ２１に進める。ステップＳ０３においては、操作を受け付けたか否かを判断する。操作を受け付けたならば処理をステップＳ０４に進め、そうでなければ処理をステップＳ０５に進める。ステップＳ０３において操作が受け付けられると、受け付けられた操作に対応する処理が実行される。ステップＳ０４においては、処理が実行されることによって生成される処理画面をＬＣＤ１９に表示し、処理をステップＳ０３に戻す。
【００５１】
ステップＳ０５においては、携帯電話機１においてスリープ条件が成立したか否かを判断する。具体的には、ステップＳ０３において操作が受け付けられてから所定の時間が経過したか否かを判断する。換言すれば、操作が受け付けられることなく所定の時間が経過したか否かを判断する。スリープ条件が成立するならば処理をステップＳ０６に進め、そうでなければ処理をステップＳ０７に進める。ステップＳ０６においては、ＬＣＤ１９の画像の表示を停止する。処理がステップＳ０６に進む場合は、ステップＳ０３において操作が受け付けられることなく進む場合と、ステップＳ０３において操作が受け付けられてステップＳ０４が実行された後に進む場合とがある。したがって、ステップＳ０６において画像の表示が停止される直前においては、ステップＳ０１または後述するステップＳ０８において表示された待受画面またはステップＳ０４において表示される処理画面のいずれかが表示される。
【００５２】
ステップＳ０７においては、待機条件が成立したか否かを判断する。待機条件が成立したならば処理をステップＳ０８に進めるが、そうでなければ処理をステップＳ０９に進める。待機条件は、携帯電話機１が待機状態となるための条件である。待機状態は、ここでは、無線回路２２が送信される通話のための着信または電子メールが基地局から受信するのを待つ状態としている。ステップＳ０８においては、待受画面をＬＣＤ１９に表示し、処理をステップＳ０３に戻す。
【００５３】
図６を参照して、ステップＳ０９においては、携帯電話機１が開状態になったか否かを判断する。ここでは、閉センサ２９の出力がＯＮからＯＦＦに変化したことを検出すると、携帯電話機１が開状態になったと判断する。携帯電話機１の形状が開状態になったと判断すると、処理をステップＳ１０に進めるが、そうでなければ処理をステップＳ０３に戻す。
【００５４】
ステップＳ１０においては、シャッフルモードがＯＮに設定されているか否かを判断する。シャッフルモードがＯＮに設定されているならば処理をステップＳ１１に進めるが、そうでなければ処理をステップＳ１８に進める。ステップＳ１８においては、ＬＣＤ１９に最後に表示された画像をＬＣＤ１９に表示する。この場合、表示モードが省電力モードの場合は、通常モードに切り換える。なお、表示モードが通常モードならばＬＣＤ１９に表示される画像に変化はない。
【００５５】
ステップＳ１１においては、遠隔ロックが設定されているか否かを判断する。遠隔ロックが設定されていなければ処理をステップＳ１２に進めるが、遠隔ロックが設定されていれば処理をステップＳ１８に進める。
【００５６】
ステップＳ１２においては、ＬＣＤ１９に最後に表示された画像が待受画面の画像か否かを判断する。ＬＣＤ１９に最後に表示された画像が待受画面の画像ならば処理をステップＳ１３に進めるが、そうでなければ処理をステップＳ１８に進める。最後に表示された画像は、ステップＳ０１またはステップＳ０８において表示された待受画面、またはステップＳ０４において表示された処理画面である。また、ステップＳ２６が実行された後であれば、ステップＳ２６において表示された待ち受け画面であり、ステップＳ２２が実行された後であれば、ステップＳ２２において表示された処理画面である。
【００５７】
ステップＳ１３においては、待受画面の背景画像として新たな画像を、フラッシュメモリ３１に記憶されている複数の画像のうちから選択し、処理をステップＳ１４に進める。この場合、表示モードが省電力モードの場合は、通常モードに切り換える。ステップＳ１４においては、ステップＳ１３において選択された画像を背景画像に含む新たな待受画面を生成し、それをＬＣＤ１９に表示する。
【００５８】
次のステップＳ１５においては、画像固定指示を受け付けたか否かを判断する。画像固定指示は、ユーザが操作部２５に入力する操作であり、表示された待受画面に含まれる背景画像を、固定の背景画像に設定する操作である。
【００５９】
画像固定指示を受け付けたならば処理をステップＳ１６に進めるが、そうでなければ処理をステップＳ２１に進める。ステップＳ１６においては、ステップＳ１４において表示された新たな待受画面に含まれる画像を、待受画面に対して予め定められた背景画像に設定することにより、新たな待受画面の画像を固定する。次のステップＳ１７においては、シャッフルモードをＯＦＦに設定し、処理をステップＳ２１に進める。
【００６０】
一方、ステップＳ２１においては、ステップＳ０３と同様に、操作を受け付けたか否かを判断する。操作を受け付けたならば処理をステップＳ２２に進めるが、そうでなければ処理をステップＳ２３に進める。ステップＳ２２においては、ステップＳ０４と同様に、ステップＳ２１において受け付けられた操作に従って実行される処理により表示される処理画面をＬＣＤ１９に表示し、処理をステップＳ２１に戻す。ステップＳ２３においては、ステップＳ０５と同様に、スリーブ条件が成立したか否かを判断する。スリーブ条件が成立したならば処理をステップＳ２４に進めるが、そうでなければ処理をステップＳ２５に進める。ステップＳ２４においては、ステップＳ０６と同様に、ＬＣＤ１９の表示を停止し、処理をステップＳ２１に戻す。この場合も同様に、ＬＣＤ１９の表示を停止する直前に表示されている画像は、待受画面の画像である場合と、ステップＳ２２において表示された処理画面である場合とがある。
【００６１】
ステップＳ２５においては、ステップＳ０７と同様に、待機条件が成立したか否かを判断する。待機条件が成立したならば処理をステップＳ２６に進めるが、そうでなければ処理をステップＳ２７に進める。ステップＳ２６においては、待受画面を表示し、処理をステップＳ２１に戻す。ここで表示される待受画面は、ステップＳ０１において表示された待受画面、またはステップＳ１４において表示された待受画面のいずれかである。ステップＳ２７においては、携帯電話機１の形状が閉状態となったか否かを判断する。具体的には、閉センサ２９の出力がＯＦＦからＯＮに切り換わったことの検出により、携帯電話機１の形状が閉状態となったと判断する。携帯電話機１の形状が閉状態となったならば処理をステップＳ０３に進めるが、そうでなければ処理をステップＳ２１に戻す。
【００６２】
処理をステップＳ０３に進める場合、ステップＳ０１またはステップＳ２６で表示された待受画面、またはステップＳ２２で表示された処理画面が、ＬＣＤ１９に表示された状態が維持される。
【００６３】
以上説明したように本実施の形態における携帯電話機１は、待受画面の画像を表示している状態で、閉状態を検出する状態から閉状態を検出しない状態へ変化することに応じて、待受画面の背景画像の次に選択された新たな画像を背景画像に含む新たな待受画面を表示する。このため、待受画面に含まれる画像を、携帯通信装置を開閉させる簡単な操作で変更させることができる。
【００６４】
また、表示モードを省電力モードに切り換えているときは、待受画面が表示されていないが、省電力モードに切り換える直前に表示していた画像が、待受画面の画像ならば、待受画面の背景画像の次に選択された新たな画像を背景画像とする新たな待受画面の画像が表示される。このため、待受画面を変更する回数を増やすことができる。
【００６５】
また、通常モードで待受画面の画像が表示されている場合、および省電力モードに切り換えられる直前に表示されていた画像が待受画面の画像である場合のみ、待受画面の背景画像の次に選択された新たな画像を背景画像とする新たな待受画面の画像が表示される。換言すれば、待受画面とは別の画像が表示されている場合、または待受画面が表示されていない状態で画面が表示されなくなった場合は、閉状態から閉状態でない状態に変化しても、新たな待受画面は表示されない。このため、ユーザは、待受画面の画像が変化したことを知ることができる。
【００６６】
また、表示モードが省電力モードのときに、閉状態から閉状態を検出しない状態へ変化する場合、省電力モードに切り換えられる直前に表示されていた画像が待受画面の画像でない場合、表示モードを通常モードに切り換えて省電力モードに切り換えられる前に表示していた画像を表示する。携帯電話機１が閉状態において表示されていた画像が、閉状態でない状態でも継続して表示される。このため、閉状態において携帯電話機１に実行させていた処理を、開状態においても継続して実行させることができる。
【００６７】
また、遠隔ロックがＯＮに設定される場合は、新たな待受画面の画像に代えて遠隔ロックがＯＮに設定される前に表示していた待受画面の画像が表示される。このため、フラッシュメモリ３１に記憶された複数の画像が他人に見られるのを防止することができる。
【００６８】
なお、上述した実施の形態においては、携帯通信装置の一例として、携帯電話機１を例に説明したが、図５および図６に示した表示制御処理を携帯電話機１に実行させる表示制御方法、またはその表示制御方法を携帯電話機１の主制御部２１に実行させるための表示制御プログラムとして発明を捉えることができるのは言うまでもない。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７０】
＜付記＞
（１）前記選択手段は、前記複数の画像のうちから同じ画像を連続して選択しない、請求項１〜５のいずれかに記載の携帯通信装置。
（２）  ユーザによる操作を受け付ける操作受付手段と、
前記表示制御手段により前記待受画面が表示されている状態で、ユーザにより画像固定指示が入力されることに応じて、前記表示制御手段が前記新たな待受画面の画像を表示するのを禁止する禁止手段と、をさらに備えた請求項１〜４のいずれかに記載の携帯通信装置。
【図面の簡単な説明】
【００７１】
【図１】本発明の実施の形態の１つにおける携帯電話機の開状態における外観を示す斜視図である。
【図２】本発明の実施の形態の１つにおける携帯電話機の閉状態における外観を示す斜視図である。
【図３】本実施の形態における携帯電話機のハードウェア構成の一例を示すブロック図である。
【図４】主制御部が備える機能の一例を示すブロック図である。
【図５】表示制御処理の流れの一例を示す第１のフローチャートである。
【図６】表示制御処理の流れの一例を示す第２のフローチャートである。
【符号の説明】
【００７２】
１  携帯電話機、２  上部、３  下部、５  ＬＣＤ、１１  スピーカ、１３  マイクロフォン、１４  操作キー群、１４Ａ  ジョイスティック、１４Ｂ-１４Ｅ  メニューキー、１５  英数キー群、１７  電源キー、１９  サイドキー、２１  主制御部、２１  制御部、２２  無線回路、２２Ａ  アンテナ、２３  コーデック部、２４  カメラ、２５  操作部、２６  振動部、２７  カードＩ／Ｆ、２７Ａ  メモリカード、２８  音声制御部、２９  閉センサ、３１  フラッシュメモリ、５１  閉状態検出部、５３  表示制御部、５５  画面生成部、５７  モード切換部、５９  選択部、６１  操作受付部、６３  操作ロック部、６５  処理実行部、６７  禁止部。
【図１】
0005570778.tif 000002
【図２】
0005570778.tif 000003
【図３】
0005570778.tif 000004
【図４】
0005570778.tif 000005
【図５】
0005570778.tif 000006
【図６】
0005570778.tif 000007